(57)【要約】【課題】  本発明は、光源装置の小型化を最優先で考えた場合、電力供給線と外部線の結線を光源装置の奥行きに影響の無い様、また機械強度的に問題とならず、光源装置を点灯させるための高電圧と周辺部品の絶縁の問題も生じない良好な光源装置を提供する事にある。【解決手段】  本発明は一対の電極を有するダブルエンド型放電灯が反射鏡に光軸配置され、放電灯の一方は口金を有し反射鏡ボトム部に固定され、反射鏡ボトム部に固定された側の電力供給線が、反射鏡ボトム部付近で外部線と結線される構造を持つ反射鏡一体型光源において、電力供給線は光軸に対し略直行する様屈曲され口金部においてサポートを介し外部線と結線されることを特徴とする光源装置とする。【選択図】          図１
2005056646.tif 000002
【特許請求の範囲】
【請求項１】
一対の電極を有するダブルエンド型放電灯が反射鏡に光軸配置され、放電灯の一方は口金を有し反射鏡ボトム部に固定され、反射鏡ボトム部に固定された側の電力供給線が、反射鏡ボトム部付近で外部線と結線される構造を持つ反射鏡一体型光源において、電力供給線は光軸に対し略直行する様屈曲され口金部においてサポートを介し外部線と結線されることを特徴とする光源装置。
【請求項２】
口金にはサポートを受けるための溝が設けられている事を特徴とする請求項１記載の光源装置。
【請求項３】
口金には電力供給線を固定できる溝が設けられている事を特徴とする請求項１記載の光源装置。
【発明の詳細な説明】
【技術分野】
【０００１】
この発明は、反射鏡と組み合わせて用いられる光学的に効率が良い、主に映像用機器、或いは光学用機器の光源である光源装置に関する。
【背景技術】
【０００２】
従来、こうした光源装置は、主にプロジェクターやプロジェクションＴＶ、映写機などに使用されている。
【０００３】
この反射型ランプを使用したプロジェクターは、用途としてテレビ（ＣＲＴ）やＯＨＰ（オーバーヘッドプロジェクタ）の代わりとして普及しつつある。中でも、液晶プロジェクター、ＤＬＰ（デジタル  ライト  プロセッシング）プロジェクターの普及は著しい。
こうしたプロジェクターに対する要求としては、高解像度、高精細とともに、明るさの向上、照射画面の均一性、小型軽量、低コストなどがある。近年、各プロジェクターに用いられるＬＣＤ（液晶ディスプレイ）パネルの透過率、ＤＭＤ（デジタル  ミラー  ディバイス）チップの反射率の向上は著しく、より小型の素子で特性の向上が図れる様になっている。
【０００４】
こうした要求の小型軽量、低コストに向け、プロジェクターに使用されるＬＣＤチップ又はＤＭＤチップは小さくなり、使用される光源装置も小型化を要求されている。こうした背景の中、光源装置へは、小型化に加え光の利用率向上も、より求められている。
【０００５】
【特許文献１】特開２００２−２６０４３２号公報
【発明の開示】
【発明が解決しようとする課題】
【０００６】
プロジェクターの小型化を考えた場合、光源装置の小型化も必修条件の一つとなる。現在においては、使用される反射鏡の小型化も進み、１５０Ｗクラスを見ても外形５０ｍｍ×５０ｍｍサイズより小さなサイズの光源装置も検討されている。また、小型化に際しては光源装置の奥行きも重要な項目となっており、放電灯の短尺化も進んでいる。
反射鏡外形の小型化により、反射有効面積が減少し、出射光の減少が懸念されるが、放電灯の短アーク化や発光効率の向上、楕円鏡の使用などにより、従来の同クラスに対し、出射光の大きな減少は見られていない。
【０００７】
光源装置の奥行き減少による放電灯の短尺化は、シール長を短くする事で対応している場合が多く、シール長を短くした場合、モリブ箔と電力供給線との溶接部の温度上昇を招き、溶接部の酸化が促進され、不導通となり短期に不点灯になる不具合が生じる。こうした溶接点温度上昇に対して、酸化を抑制するためフリット剤の充填などにより空気の遮断を講じる場合があるが光源装置寿命末期までの十分な効果は得られておらず、送風による冷却手段を用いらざるをえないのが現状である。
【０００８】
反射鏡ボトム部側のシール部に対しては、反射鏡との固定の際に耐熱性アルミナ、シリカを主成分とする接着剤が用いられ、場合によってはセラミック碍子を介する場合も多い。こうした場合は、接着剤等による保温効果も生じる事になり、温度上昇に対し不利となるが、セラミックの構造を工夫する事により通風構造を設け、冷却効果を上げている場合も見られる。（特許第３３５３６９３号公報）さらに、セラミック碍子内で電力供給線と外部線を結線する場合もあるが、この場合は温度上昇に対し不利に働く事に加え、結線部の取り回し等によっては、短尺化に対しても不利となる。
【０００９】
短尺化を最優先に考えた場合、電力供給線と外部線の結線を光源装置の奥行きに影響の無いところで結線する例もあるが、電力供給線を光軸に対し略直行する様に折り曲げる方法が最も効率的である。しかしながらこうした場合には、電力供給線の屈曲部に負荷が掛かり、機械強度的が問題となる。こうした問題に対し、特開２００２−２６０４３２号公報の様な供給線固定部材を用いる例も報告されているが、小型化の観点、特に光源装置の奥行きを考慮した場合には不利になることは明らかである。
また、反射鏡開放部側の電力供給線と外部線との結線の様に、反射鏡に結線のための受け台を設ける場合もあるが、受け台を設ける場合、反射鏡に取り付け部品用の穴を開けなくてはならず、反射鏡の特性を損なう事になるばかりか、反射鏡の有効面をなるべく損なわない様にするため、より反射鏡の開放部へ受け台を取り付けなくてはならず、反射鏡ボトム部側の電力供給線を長く這わせる必要が生じる。こうした場合、光源装置を点灯させるための高電圧と周辺部品の絶縁の問題が生じる。
【００１０】
本発明は、光源装置の小型化を最優先で考えた場合、電力供給線と外部線の結線を光源装置の奥行きに影響の無い様、電力供給線を光軸に対し略直行する様に折り曲げ、効率良く小型化を図った場合でも機械強度的に問題とならず、光源装置を点灯させるための高電圧と周辺部品の絶縁の問題も生じない良好な光源装置を提供する事にある。
【課題を解決するための手段】
【００１１】
上記目的を達成するため、本発明は一対の電極を有するダブルエンド型放電灯が反射鏡に光軸配置され、放電灯の一方は口金を有し反射鏡ボトム部に固定され、反射鏡ボトム部に固定された側の電力供給線が、反射鏡ボトム部付近で外部線と結線される構造を持つ反射鏡一体型光源において、電力供給線は光軸に対し略直行する様屈曲され口金部においてサポートを介し外部線と結線されることを特徴とする光源装置とする。
【００１２】
また、口金にはサポートを受けるための溝が設けられていること、さらに、口金には電力供給線を固定できる溝が設けられていることを特徴とする光源装置とする。
【００１３】
光源装置の小型化、特に短尺化を考えた場合、電力供給線を光軸に対し略直行する様に折り曲げ、電力供給線と外部線の結線を光源装置の奥行きに影響の無いところで結線する事が最も効率的である。しかしながらこうした場合には、電力供給線の屈曲部に負荷が掛かり、機械強度的に問題となるが、口金部においてサポートを介し外部線と結線する事により、電力供給線の屈曲部への負荷が大幅に低減し、機械強度的に全く問題とならないようにする事ができる。
【００１４】
また、電力供給線と外部線の結線を反射鏡ボトム部付近で行う事により、光源装置を点灯させるための高電圧と周辺部品の絶縁の問題は生じることはない。
【００１５】
反射鏡ボトム部に固定された側の放電灯電力供給線を、口金部においてサポートを介し外部線と結線させる事で、小型化、短尺化の最も優れた、良好な光源装置を提供することが出来る。
【発明の効果】
【００１６】
以上、実施例にて説明した様な光源装置では、従来の光源装置に比べ、小型化、特に短尺化について、電力供給線と外部線の結線を光源装置の奥行きに影響の無いところつまり、反射鏡ボトム部付近で結線する事で最大の効果が期待できる。こうした場合、電力供給線を折り曲げる必要があり、電力供給線の屈曲部に負荷が掛かるが、この電力供給線をサポートを介して結線する事により、電力供給線の屈曲部への負荷が大幅に低減し、機械強度的に問題を起こすことはない。
【発明を実施するための最良の形態】
【００１７】
次に実施例について図１乃至図６を用いて説明する。
【実施例１】
【００１８】
図１は、本発明に係わる光源装置の一実施例を一部省略して示す図である。図において、１は石英ガラス製放電灯で、該放電灯１の両端には電極２ａ，２ｂが封止部に埋め込み固定されている。電極２ａ，２ｂ間距離ｌ、すなわちアーク長は１．０ｍｍである。５は口金、７は受け台、９はサポート、１０は碍子、１１は外部線である。
【００１９】
この様にして形成された放電灯１の中には、封入物としてハロゲンガス、Ｈｇ、始動用アルゴンが封入されている。なお３ａ，３ｂは電極２ａ、２ｂに接続されたモリブデン箔で、電力供給線８に接続され、安定器に接続される。
【００２０】
放電灯１は、ダイクロイック反射鏡４の底部にアルミナ、シリカを主成分とする無機系耐熱接着剤６で口金を介して固定し、光源装置を構成している。
【００２１】
以上の様な光源装置は専用電子安定器を用いて電力１５０Ｗ、で放電灯軸が水平になるように水平点灯する。
【００２２】
図２、図３に従来の光源装置実施例を示す。実施例、従来例共に反射鏡は膨張係数を比較的低く抑えた耐熱性の高いホウケイ酸硝子又は、結晶化硝子などを使用し、外形５０ｍｍ×５０ｍｍサイズでＦは７ｍｍである。
【００２３】
図４に従来例の電力供給線折り曲げ部の拡大図を示す。図面上に最も機械的強度が低下する場所をＡで示してある。この部分は図面上の矢印に示すような電力供給線の動きに対する支点となるため最も機械的強度が低下する部分である。更にこの状態で、電力供給線に外部線を接続した場合にはさらに大きな負荷がＡ点に掛かることになり、問題となる事は容易に推測できる。
【実施例２】
【００２４】
図５には請求項２項記載のサポート９を受ける溝１２を設けた口金の実施例を示す。
【実施例３】
【００２５】
図６には他の実施例の口金を示したが、使用される口金、サポートの構造、材質に制限はないが、口金、サポート共に実際の使用時電力供給線と外部線の結線が反射鏡ボトム部付近で行なわれており、サポートは電力供給線に余分な負荷が掛からない構造でなくてはならない。また、図中１３は電力供給線固定溝である。
【００２６】
なお、実施例はショートアーク型の水銀灯としたが、同様な構造を持つメタルハライドランプやキセノンランプでも良い。
【００２７】
請求項２記載の口金にサポートを受けるための溝を設けるのはサポートの取り付けをより強固なものとするためである。また、請求項３記載の口金に電力供給線を固定する溝を設けるのは電力供給線の動きをより固定するための溝であり、機械的強度をより向上することができる。
【産業上の利用可能性】
【００２８】
本発明の活用は、主にプロジェクターやプロジェクションＴＶ、映写機などに使用される。
【図面の簡単な説明】
【００２９】
【図１】本発明に係る光源装置の概略断面図
【図２】従来の光源装置例の概略断面図
【図３】従来の光源装置例の概略断面図
【図４】従来の光源装置の一部拡大図
【図５】請求項第２項に係る光源装置の一部拡大図
【図６】請求項第３項に係る光源装置の一部拡大図と口金図
【符号の説明】
【００３０】
１・・・放電灯
２ａ、２ｂ・・・電極
３ａ、３ｂ・・・モリブデン箔
４・・・反射鏡
５・・・口金
６・・・無機系耐熱接着剤
７・・・受け台
８・・・電力供給線
９・・・サポート
１０・・・碍子
１１・・・外部線
１２・・・サポート受け溝
１３・・・電力供給線固定溝
【図１】
2005056646.tif 000003
【図２】
2005056646.tif 000004
【図３】
2005056646.tif 000005
【図４】
2005056646.tif 000006
【図５】
2005056646.tif 000007
【図６】
2005056646.tif 000008